(57)【要約】【課題】サブアドレスを使用せずに内線電話機を特定してルームモニタすることが可能なボタン電話システムを提供する。【解決手段】特定発信者電話番号記憶部およびルームモニタ特番記憶部を有する特番情報等記憶手段Ｍ２２、被ルームモニタ可否記憶部およびスピーカ受話音量レベル記憶部ならびにルームモニタ時スピーカ受話音量レベル記憶部を有する内線情報記憶手段Ｍ２３、特定発信者判定手段Ｍ２３、プッシュ信号受信モード移行手段Ｍ２０、プッシュ信号受信手段Ｍ１８、プッシュ信号解析手段Ｍ１９、指定内線電話番号判断手段Ｍ２１、被ルームモニタ判断手段Ｍ２４、ハンズフリー通話手段Ｍ１４、通話路切替手段Ｍ１２、話中音送出手段Ｍ１６を備えたハンズフリー機能を有する複数の内線電話機と組み合わされてボタン電話システムを構成するボタン電話主装置１０。【選択図】        図１
2004328059.tif 000002
【特許請求の範囲】
【請求項１】
１以上の外線および複数の内線を有する簡易セキュリティ機能付きボタン電話主装置と前記内線に接続される複数の内線電話機からなる簡易セキュリティ機能付きボタン電話システムにおいて、
前記簡易セキュリティ機能付きボタン電話主装置が、
特定の発信者の電話番号を記憶する特定発信者電話番号記憶部および着信時に内線電話機を即座にハンズフリー通話によるルームモニタ動作へ移行させるルームモニタ特番を記憶するルームモニタ特番記憶部を有する特番情報等記憶手段と、
内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、
外線に着信時に発信者の電話番号と前記特定発信者電話番号記憶部に記憶された特定発信者番号から特定の発信者からの着信であるか否かを判定する特定発信者判定手段と、
特定の発信者の電話番号を受信したときにプッシュ信号受信のモードに移行するプッシュ信号受信モード移行手段と、
発信者が押下したプッシュ信号を解析するプッシュ信号解析手段と、
発信者が指定した内線電話番号を判断する指定内線電話番号判断手段と、
当該指定内線電話番号と前記被ルームモニタ可否記憶部に記憶された被ルームモニタ可否情報から前記指定内線電話番号の被ルームモニタ可否を判断する被ルームモニタ可否判断手段と、
前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、
前記指定内線電話番号が被ルームモニタ可であるときに前記外線と該当する指定内線電話機とをハンズフリー通話手段へ接続する通話路切替手段と
を備え、
前記内線電話機が、前記簡易セキュリティ機能付きボタン電話主装置からの指示に従って事前のマイク動作可否登録に関係なくマイクを動作させ指示されたルームモニタ時の音量でスピーカを動作させるルームモニタ動作手段を備え、
特定発信者から指定内線電話機に対してルームモニタ指示があったときに、前記ルームモニタ時スピーカ受話音量レベル記憶部に記憶されたスピーカ受話音量によってスピーカから発信者の音声を出力することを特徴とする簡易セキュリティ機能付きボタン電話システム。
【請求項２】
マイクおよびスピーカを有している複数の内線電話機と組み合わされて簡易セキュリティ機能付きボタン電話システムを構成する簡易セキュリティ機能付きボタン電話主装置において、
１以上の外線と複数の内線電話機に接続され、
特定の発信者の電話番号を記憶する特定発信者電話番号記憶部および着信時に内線電話機を即座にハンズフリー通話によるルームモニタ動作へ移行させるルームモニタ特番を記憶するルームモニタ特番記憶部を有する特番情報等記憶手段と、内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、
外線に着信時に発信者の電話番号と前記特定発信者電話番号記憶部に記憶された特定発信者番号から特定の発信者からの着信であるか否かを判定する特定発信者判定手段と、
特定の発信者の電話番号を受信したときにプッシュ信号受信のモードに移行するプッシュ信号受信モード移行手段と、
発信者が押下したプッシュ信号を解析するプッシュ信号解析手段と、
発信者が指定した内線電話番号を判断する指定内線電話番号判断手段と、
当該指定内線電話番号と前記被ルームモニタ可否記憶部に記憶された被ルームモニタ可否情報から前記指定内線電話番号の被ルームモニタ可否を判断する被ルームモニタ可否判断手段と、
前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、
前記指定内線電話番号が被ルームモニタ可であるときに前記外線と該当する指定内線電話機とをハンズフリー通話手段へ接続する通話路切替手段と
を備えたことを特徴とする簡易セキュリティ機能付きボタン電話主装置。
【請求項３】
１以上の外線および複数の内線を有する簡易セキュリティ機能付きボタン電話主装置と前記内線に接続される複数の内線電話機からなる簡易セキュリティ機能付きボタン電話システムにおいて、
前記簡易セキュリティ機能付きボタン電話主装置が、
着信時に内線電話機を即座にハンズフリー通話によるルームモニタ動作へ移行させるルームモニタ特番を記憶するルームモニタ特番記憶部を有する特番情報等記憶手段と、
内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、
簡易セキュリティ機能付きボタン電話システムが留守番状態時外線着信に対して自動応答後音声ガイダンスを送出する留守番時自動応答手段と、
発信者が押下したプッシュ信号を解析するプッシュ信号解析手段と、
発信者が指定した内線電話番号を判断する指定内線電話番号判断手段と、
当該指定内線電話番号と前記被ルームモニタ可否記憶部に記憶された被ルームモニタ可否情報から前記指定内線電話番号の被ルームモニタ可否を判断する被ルームモニタ可否判断手段と、
前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、
前記指定内線電話番号が被ルームモニタ可であるときに前記外線と該当する指定内線電話機とをハンズフリー通話手段へ接続する通話路切替手段と
を備え、
前記内線電話機が、前記簡易セキュリティ機能付きボタン電話主装置からの指示に従って事前のマイク動作可否登録に関係なくマイクを動作させルームモニタ時の指示された音量でスピーカを動作させるルームモニタ動作手段を備え、
留守番状態時外線に発信した発信者の指定内線電話機に対してルームモニタ指示があったときに、前記ルームモニタ時スピーカ受話音量レベル記憶部に記憶されたスピーカ受話音量によってスピーカから発信者の音声を出力することを特徴とする簡易セキュリティ機能付きボタン電話システム。
【請求項４】
マイクおよびスピーカを有している複数の内線電話機と組み合わされて簡易セキュリティ機能付きボタン電話システムを構成する簡易セキュリティ機能付きボタン電話主装置において、
１以上の外線と複数の内線電話機に接続され、
着信時に内線電話機を即座にハンズフリー通話によるルームモニタ動作へ移行させるルームモニタ特番を記憶するルームモニタ特番記憶部を有する特番情報等記憶手段と、
内線電話機毎のハンズフリー動作への移行の可否を記憶する被ルームモニタ可否記憶部および内線電話機毎のルームモニタ時のスピーカ音量レベルを記憶するルームモニタ時スピーカ受話音量レベル記憶部を有する内線情報記憶手段と、
簡易セキュリティ機能付きボタン電話システムが留守番状態時外線着信に対して自動応答後音声ガイダンスを送出する留守番時自動応答手段と、
発信者が押下したプッシュ信号を解析するプッシュ信号解析手段と、
発信者が指定した内線電話番号を判断する指定内線電話番号判断手段と、
当該指定内線電話番号と前記被ルームモニタ可否記憶部に記憶された被ルームモニタ可否情報から前記指定内線電話番号の被ルームモニタ可否を判断する被ルームモニタ可否判断手段と、
前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、
前記指定内線電話番号が被ルームモニタ可であるときに前記外線と該当する指定内線電話機とをハンズフリー通話手段へ接続する通話路切替手段と
を備えたことを特徴とする簡易セキュリティ機能付きボタン電話主装置。
【請求項５】
１以上の外線および複数の内線を有する簡易セキュリティ機能付きボタン電話主装置と前記内線に接続される複数の内線電話機からなる簡易セキュリティ機能付きボタン電話システムにおいて、
前記簡易セキュリティ機能付きボタン電話主装置が、
着信時に内線電話機を即座にハンズフリー通話によるルームモニタ動作へ移行させるルームモニタ特番を記憶するルームモニタ特番記憶部を有する特番情報等記憶手段と、
内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、
発信者の操作するプッシュ信号によって特定の内線を呼び出すダイレクトインダイヤル機能と、
ダイレクトインダイヤル機能の外線または一定時間内線側電話機が応答しない時にダイレクトインダイヤル状態になる外線に着信があったときにプッシュ信号受信のモードに移行するプッシュ信号受信モード移行手段と、
発信者が押下したプッシュ信号を解析するプッシュ信号解析手段と、
発信者が指定した内線電話番号を判断する指定内線電話番号判断手段と、
当該指定内線電話番号と前記被ルームモニタ可否記憶部に記憶された被ルームモニタ可否情報から前記指定内線電話番号の被ルームモニタ可否を判断する被ルームモニタ可否判断手段と、
前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、
前記指定内線電話番号が被ルームモニタ可であるときに前記外線と該当する指定内線電話機とをハンズフリー通話手段へ接続する通話路切替手段と
を備え、
前記内線電話機が、前記簡易セキュリティ機能付きボタン電話主装置からの指示に従って事前のマイク動作可否登録に関係なくマイクを動作させルームモニタ時の指示された音量でスピーカを動作させるルームモニタ動作手段を備え、
ダイレクトインダイヤル機能の外線または一定時間内線側電話機が応答しない時にダイレクトインダイヤル状態になる外線への着信時に指定内線電話機に対してルームモニタ指示があったときに、前記ルームモニタ時スピーカ受話音量レベル記憶部に記憶されたスピーカ受話音量によってスピーカから発信者の音声を出力することを特徴とする簡易セキュリティ機能付きボタン電話システム。
【請求項６】
マイクおよびスピーカを有している複数の内線電話機と組み合わされて簡易セキュリティ機能付きボタン電話システムを構成する簡易セキュリティ機能付きボタン電話主装置において、
１以上の外線と複数の内線電話機に接続され、
着信時に内線電話機を即座にハンズフリー通話によるルームモニタ動作へ移行させるルームモニタ特番を記憶するルームモニタ特番記憶部を有する特番情報等記憶手段と、
内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、
発信者の操作するプッシュ信号によって特定の内線を呼び出すダイレクトインダイヤル機能と、
ダイレクトインダイヤル機能の外線または一定時間内線側電話機が応答しない時にダイレクトインダイヤル状態になる外線に着信があったときにプッシュ信号受信のモードに移行するプッシュ信号受信モード移行手段と、
発信者が押下したプッシュ信号を解析するプッシュ信号解析手段と、
発信者が指定した内線電話番号を判断する指定内線電話番号判断手段と、
当該指定内線電話番号と前記被ルームモニタ可否記憶部に記憶された被ルームモニタ可否情報から前記指定内線電話番号の被ルームモニタ可否を判断する被ルームモニタ可否判断手段と、
前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、
前記指定内線電話番号が被ルームモニタ可であるときに前記外線と該当する指定内線電話機とをハンズフリー通話手段へ接続する通話路切替手段と
を備えたことを特徴とする簡易セキュリティ機能付きボタン電話主装置。
【請求項７】
１以上の外線および複数の内線を有する簡易セキュリティ機能付きボタン電話主装置と前記内線に接続される複数の内線電話機からなる簡易セキュリティ機能付きボタン電話システムにおいて、
前記簡易セキュリティ機能付きボタン電話主装置が、
着信時に内線電話機を即座にハンズフリー通話によるルームモニタ動作へ移行させるルームモニタ特番を記憶するルームモニタ特番記憶部ならびにセンサ機器が異常を検出した時に自動呼出する電話機の電話番号を記憶する異常時自動呼出電話番号記憶部を有する特番情報等記憶手段と、
内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、
センサ機器を接続するセンサ機器接続手段と、
センサ機器異常検出時に前記電話番号に対して自動発信し呼出先応答後の異常を通知するガイダンスを送出する異常時発呼手段と、
ガイダンス送出後にプッシュ信号受信のモードに移行するプッシュ信号受信モード移行手段と、
呼出先が押下したプッシュ信号を解析するプッシュ信号解析手段と、
呼出先が指定した内線電話番号を判断する指定内線電話番号判断手段と、
当該指定内線電話番号と前記被ルームモニタ可否記憶部に記憶された被ルームモニタ可否情報から前記指定内線電話番号の被ルームモニタ可否を判断する被ルームモニタ可否判断手段と、
前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、
前記指定内線電話番号が被ルームモニタ可であるときに前記外線と該当する指定内線電話機とをハンズフリー通話手段へ接続する通話路切替手段と
を備え、
前記内線電話機が、前記簡易セキュリティ機能付きボタン電話主装置からの指示に従って事前のマイク動作可否登録に関係なくマイクを動作させルームモニタ時の指示された音量でスピーカを動作させるルームモニタ動作手段を備え、
センサ機器異常検出時の呼出先から指定内線電話機に対してルームモニタ指示があったときに、前記ルームモニタ時スピーカ受話音量レベル記憶部に記憶されたスピーカ受話音量によってスピーカから発信者の音声を出力することを特徴とする簡易セキュリティ機能付きボタン電話システム。
【請求項８】
マイクおよびスピーカを有している複数の内線電話機と組み合わされて簡易セキュリティ機能付きボタン電話システムを構成する簡易セキュリティ機能付きボタン電話主装置において、
１以上の外線と複数の内線電話機に接続され、
着信時に内線電話機を即座にハンズフリー通話によるルームモニタ動作へ移行させるルームモニタ特番を記憶するルームモニタ特番記憶部ならびにセンサ機器が異常を検出した時に自動呼出する電話機の電話番号を記憶する異常時自動呼出電話番号記憶部を有する特番情報等記憶手段と、
内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、
センサ機器を接続するセンサ機器接続手段と、
センサ機器異常検出時に前記電話番号に対して自動発信し呼出先応答後の異常を通知するガイダンスを送出する異常時発呼手段と、
ガイダンス送出後にプッシュ信号受信のモードに移行するプッシュ信号受信モード移行手段と、
呼出先が押下したプッシュ信号を解析するプッシュ信号解析手段と、
呼出先が指定した内線電話番号を判断する指定内線電話番号判断手段と、
当該指定内線電話番号と前記被ルームモニタ可否記憶部に記憶された被ルームモニタ可否情報から前記指定内線電話番号の被ルームモニタ可否を判断する被ルームモニタ可否判断手段と、
前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、
記指定内線電話番号が被ルームモニタ可であるときに前記外線と該当する指定内線電話機とをハンズフリー通話手段へ接続する通話路切替手段と
を備えたことを特徴とする簡易セキュリティ機能付きボタン電話主装置。
【請求項９】
１以上の外線および複数の内線を有する簡易セキュリティ機能付きボタン電話主装置と前記内線に接続される複数の内線電話機からなる簡易セキュリティ機能付きボタン電話システムにおいて、
前記簡易セキュリティ機能付きボタン電話主装置が、
同一ボタン電話主装置に接続された内線電話機からの発信時に内線電話機を即座にハンズフリー通話によるルームモニタ動作へ移行させるルームモニタ特番を記憶するルームモニタ特番記憶部を有する特番情報等記憶手段と、
内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、
同一ボタン電話主装置に接続された内線電話機からの発信時に発信者が指定した内線電話番号を判断する指定内線電話番号判断手段と、
当該指定内線電話番号と前記被ルームモニタ可否記憶部に記憶された被ルームモニタ可否情報から前記指定内線電話番号の被ルームモニタ可否を判断する被ルームモニタ可否判断手段と、
前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、
前記指定内線電話番号が被ルームモニタ可であるときに前記発信した内線と該当する指定内線とをハンズフリー通話手段へ接続する通話路切替手段と
を備え、
前記内線電話機が、前記簡易セキュリティ機能付きボタン電話主装置からの指示に従って事前のマイク動作可否登録に関係なくマイクを動作させルームモニタ時の指示された音量でスピーカを動作させるルームモニタ動作手段を備え、
同一ボタン電話主装置に接続された内線電話機の特定発信者から指定内線電話機に対してルームモニタ指示があったときに、前記ルームモニタ時スピーカ受話音量レベル記憶部に記憶されたスピーカ受話音量によってスピーカから発信者の音声を出力することを特徴とするボタン電話システム。
【請求項１０】
マイクおよびスピーカを有している複数の内線電話機と組み合わされて簡易セキュリティ機能付きボタン電話システムを構成する簡易セキュリティ機能付きボタン電話主装置において、
１以上の外線と複数の内線電話機に接続され、
同一ボタン電話主装置に接続された内線電話機からの発信時に内線電話機を即座にハンズフリー通話によるルームモニタ動作へ移行させるルームモニタ特番を記憶するルームモニタ特番記憶部を有する特番情報等記憶手段と、
内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、
同一ボタン電話主装置に接続された内線電話機からの発信時に発信者が指定した内線電話番号を判断する指定内線電話番号判断手段と、
当該指定内線電話番号と前記被ルームモニタ可否記憶部に記憶された被ルームモニタ可否情報から前記指定内線電話番号の被ルームモニタ可否を判断する被ルームモニタ可否判断手段と、
前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、
前記指定内線電話番号が被ルームモニタ可であるときに前記発信した内線と該当する指定内線とをハンズフリー通話手段へ接続する通話路切替手段と
を備えたことを特徴とする簡易セキュリティ機能付きボタン電話主装置。
【発明の詳細な説明】
【０００１】
【発明の属する技術分野】
本発明は、例えば、単一若しくは複数の外線及び複数の内線電話機が接続されるボタン電話主装置と、該ボタン電話主装置に接続する内線電話機（ボタン電話機）とからなるボタン電話システム、及び該ボタン電話システムを構成するボタン電話主装置ならびに内線電話機（ボタン電話機）に関する。さらに、詳細には、本発明は、簡易セキュリティ機能を付したボタン電話システムおよびそのボタン電話主装置に関する。
【０００２】
本発明のボタン電話主装置は、ボタン電話主装置および構内交換機（ＰＢＸ）をも含めて、１以上の外線と複数の内線電話機（ボタン電話機）が接続されるボタン電話主装置と定義される。
【０００３】
【従来の技術】
１以上の外線と複数の内線電話機（ボタン電話機）に接続されるボタン電話主装置と、複数の内線電話機（ボタン電話機）からなるボタン電話システムにおいて、外出先から内線電話機へ電話をかけ、内線電話機周辺の音をモニタしたり内線電話機のスピーカから呼びかける機能を有するボタン電話システムがある。このボタン電話システムは、不在時に外出先の電話機操作により室内の様子をチェックしたり、室内にいる不審者に対し声で威嚇することができる。
【０００４】
また、ルームモニタと類似したボタン電話システムの機能として、通話に際して電話機のハンドセットでなくマイクとスピーカを用いて通話を行うハンズフリー通話があるが、ルームモニタ機能を行う場合も、ハンズフリー通話と同様に事前に電話機側のマイクをＯＮにさせる設定や操作が必要である。
【０００５】
ＩＳＤＮ回線を利用することにより、ルームモニタに移行させるための指示情報としてサブアドレスを使用することができるが、サブアドレスを通知できるのはＩＳＤＮ電話機またはＰＨＳに限定される。外出先で通常使用される携帯電話機は、サブアドレスを送出できないのでルームモニタを行えない。発信側の電話機の種類に関係なく、ルームモニタに移行できる方式が望まれる。
【０００６】
通常、ルームモニタは、不在時に外出先からボタン電話主装置の内線に接続された内線電話機の周辺の音をモニタすることを主目的とするが、ボタン電話システムや構内交換機（ＰＢＸ）の場合は、複数の内線電話機が接続されるので、ルームモニタ機能を用いて、内線側の電話機から人のいない倉庫や空きの会議室等の状況を音声でモニタできる機能も必要とされる。
【０００７】
ルームモニタ動作時は、マイクとスピーカを使ったハンズフリー通話と同様に行われるため、内線電話機側の操作で事前にマイクＯＮの設定をしておく必要があり、操作を忘れた電話機の周辺の音をモニタすることができず、改善が望まれる。さらに、内線電話機側のスピーカ受話ボリュームが小さいと発信者側が声をかける場合に音量が小さいため威嚇効果がなく、事前にボリュームを上げておく必要がある。
【０００８】
また、ルームモニタ機能を設定する場合には、設置場所によってはルームモニタされてはまずい内線電話機もあるため、内線電話機毎にモニタの規制を行う必要がある（例えば、特許文献１または特許文献２参照）。
【０００９】
さらに、ルームモニタを行うのは、何か異常が発生した場合に特に必要であり、ボタン電話主装置にセンサ機器を接続し、該センサ機器が異常を検出すると外出先の電話機に対して自動発信して、自動的にルームモニタに移行できる機能も必要となる。
【００１０】
【特許文献１】
特許第２７４３５８７号公報
【特許文献２】
特開昭６３−１４６６４９号公報
【００１１】
【発明が解決しようとする課題】
このような要求に対処するために、本発明は、ボタン電話主装置と複数の内線電話機とからなるボタン電話システムにおいて、サブアドレスを使用せずに内線電話機を特定してルームモニタすることが可能なボタン電話システムを提供することを第１の目的とする。
【００１２】
また、本発明は、上記ボタン電話システムにおいて、ボタン電話主装置に接続された内線電話機からボタン電話主装置に接続された他の内線電話機のルームモニタを行えるボタン電話システムを提供することを第２の目的とする。
【００１３】
また、本発明は、上記ボタン電話システムにおいて、ルームモニタされる内線ボタン電話機を自動的にハンズフリー状態に移行させることができるボタン電話システムを提供することを第３の目的とする。
【００１４】
さらに、本発明は、上記ボタン電話システムにおいて、ルームモニタ移行の可否を内線電話機毎に選択できるシステムを提供することを第４の目的とする。
【００１５】
さらに、本発明は、上記ボタン電話システムを構成するボタン電話主装置に直接または内線電話機を介してセンサ機器を接続し、センサ機器が異常の発生を検出すると特定の電話機にその旨を発信し、該電話機からルームモニタすることを可能とするボタン電話システムを提供することを第５の目的とする。
【００１６】
【課題を解決するための手段】
上記問題を解決するために、各種着信状態でのプッシュ信号を受信する手段、ボタン電話主装置に接続されたセンサ機器の異常検出時に登録先電話機に対して自動発信し呼出先応答後の異常を通知するガイダンス送出後にプッシュ信号受信のモードに移行する手段の何れかまたは全て、及び、発信者が押下したプッシュ信号を解析する手段、また、同一電話装置に接続された他の電話機からのダイヤル情報を解析する手段を具備し、外線からのプッシュ信号または内線からのダイヤル情報とボタン電話主装置に登録された情報との照合手段を具備することにより、ボタン電話主装置に接続された内線電話機の周囲の音を自動的に聴取し、更に発信者側の音声を通常使用時とは異なる音量で内線電話機のスピーカから出力することを可能にしたものである。
【００１７】
第１の本発明は、上記課題を解決するために、１以上の外線および複数の内線を有する簡易セキュリティ機能付きボタン電話主装置と前記内線に接続される複数の内線電話機からなる簡易セキュリティ機能付きボタン電話システムにおいて、前記簡易セキュリティ機能付きボタン電話主装置が、特定の発信者の電話番号を記憶する特定発信者電話番号記憶部および着信時に内線電話機を即座にハンズフリー通話によるルームモニタ動作へ移行させるルームモニタ特番を記憶するルームモニタ特番記憶部を有する特番情報等記憶手段と、内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、外線に着信時に発信者の電話番号と前記特定発信者電話番号記憶部に記憶された特定発信者番号から特定の発信者からの着信であるか否かを判定する特定発信者判定手段と、特定の発信者の電話番号を受信したときにプッシュ信号受信のモードに移行するプッシュ信号受信モード移行手段と、発信者が押下したプッシュ信号を解析するプッシュ信号解析手段と、発信者が指定した内線電話番号を判断する指定内線電話番号判断手段と、当該指定内線電話番号と前記被ルームモニタ可否記憶部に記憶された被ルームモニタ可否情報から前記指定内線電話番号の被ルームモニタ可否を判断する被ルームモニタ可否判断手段と、前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、前記指定内線電話番号が被ルームモニタ可であるときに前記外線と該当する指定内線電話機とをハンズフリー通話手段へ接続する通話路切替手段とを備え、前記内線電話機が、前記簡易セキュリティ機能付きボタン電話主装置からの指示に従って事前のマイク動作可否登録に関係なくマイクを動作させ指示されたルームモニタ時の音量でスピーカを動作させるルームモニタ動作手段を備え、特定発信者から指定内線電話機に対してルームモニタ指示があったときに、前記ルームモニタ時スピーカ受話音量レベル記憶部に記憶されたスピーカ受話音量によってスピーカから発信者の音声を出力するようにした。
【００１８】
本発明は、マイクおよびスピーカを有している複数の内線電話機と組み合わされて簡易セキュリティ機能付きボタン電話システムを構成する簡易セキュリティ機能付きボタン電話主装置において、１以上の外線と複数の内線電話機に接続され、特定の発信者の電話番号を記憶する特定発信者電話番号記憶部および着信時に内線電話機を即座にハンズフリー通話によるルームモニタ動作へ移行させるルームモニタ特番を記憶するルームモニタ特番記憶部を有する特番情報等記憶手段と、内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、外線に着信時に発信者の電話番号と前記特定発信者電話番号記憶部に記憶された特定発信者番号から特定の発信者からの着信であるか否かを判定する特定発信者判定手段と、特定の発信者の電話番号を受信したときにプッシュ信号受信のモードに移行するプッシュ信号受信モード移行手段と、発信者が押下したプッシュ信号を解析するプッシュ信号解析手段と、発信者が指定した内線電話番号を判断する指定内線電話番号判断手段と、当該指定内線電話番号と前記被ルームモニタ可否記憶部に記憶された被ルームモニタ可否情報から前記指定内線電話番号の被ルームモニタ可否を判断する被ルームモニタ可否判断手段と、前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、前記指定内線電話番号が被ルームモニタ可であるときに前記外線と該当する指定内線電話機とをハンズフリー通話手段へ接続する通話路切替手段と
を備えた。
【００１９】
第２の発明は、１以上の外線および複数の内線を有する簡易セキュリティ機能付きボタン電話主装置と前記内線に接続される複数の内線電話機からなる簡易セキュリティ機能付きボタン電話システムにおいて、前記簡易セキュリティ機能付きボタン電話主装置が、着信時に内線電話機を即座にハンズフリー通話によるルームモニタ動作へ移行させるルームモニタ特番を記憶するルームモニタ特番記憶部を有する特番情報等記憶手段と、内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、簡易セキュリティ機能付きボタン電話システムが留守番状態時外線着信に対して自動応答後音声ガイダンスを送出する留守番時自動応答手段と、発信者が押下したプッシュ信号を解析するプッシュ信号解析手段と、発信者が指定した内線電話番号を判断する指定内線電話番号判断手段と、当該指定内線電話番号と前記被ルームモニタ可否記憶部に記憶された被ルームモニタ可否情報から前記指定内線電話番号の被ルームモニタ可否を判断する被ルームモニタ可否判断手段と、前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、前記指定内線電話番号が被ルームモニタ可であるときに前記外線と該当する指定内線電話機とをハンズフリー通話手段へ接続する通話路切替手段とを備え、前記内線電話機が、前記簡易セキュリティ機能付きボタン電話主装置からの指示に従って事前のマイク動作可否登録に関係なくマイクを動作させルームモニタ時の指示された音量でスピーカを動作させるルームモニタ動作手段を備え、留守番状態時外線に発信した発信者の指定内線電話機に対してルームモニタ指示があったときに、前記ルームモニタ時スピーカ受話音量レベル記憶部に記憶されたスピーカ受話音量によってスピーカから発信者の音声を出力するようにした。
【００２０】
本発明は、マイクおよびスピーカを有している複数の内線電話機と組み合わされて簡易セキュリティ機能付きボタン電話システムを構成する簡易セキュリティ機能付きボタン電話主装置において、１以上の外線と複数の内線電話機に接続され、着信時に内線電話機を即座にハンズフリー通話によるルームモニタ動作へ移行させるルームモニタ特番を記憶するルームモニタ特番記憶部を有する特番情報等記憶手段と、内線電話機毎のハンズフリー動作への移行の可否を記憶する被ルームモニタ可否記憶部および内線電話機毎のルームモニタ時のスピーカ音量レベルを記憶するルームモニタ時スピーカ受話音量レベル記憶部を有する内線情報記憶手段と、簡易セキュリティ機能付きボタン電話システムが留守番状態時外線着信に対して自動応答後音声ガイダンスを送出する留守番時自動応答手段と、発信者が押下したプッシュ信号を解析するプッシュ信号解析手段と、発信者が指定した内線電話番号を判断する指定内線電話番号判断手段と、当該指定内線電話番号と前記被ルームモニタ可否記憶部に記憶された被ルームモニタ可否情報から前記指定内線電話番号の被ルームモニタ可否を判断する被ルームモニタ判断手段と、前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、前記指定内線電話番号が被ルームモニタ可であるときに前記外線と該当する指定内線電話機とをハンズフリー通話手段へ接続する通話路切替手段とを備えた。
【００２１】
第３の発明は、１以上の外線および複数の内線を有する簡易セキュリティ機能付きボタン電話主装置と前記内線に接続される複数の内線電話機からなる簡易セキュリティ機能付きボタン電話システムにおいて、前記簡易セキュリティ機能付きボタン電話主装置が、着信時に内線電話機を即座にハンズフリー通話によるルームモニタ動作へ移行させるルームモニタ特番を記憶するルームモニタ特番記憶部を有する特番情報等記憶手段と、内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、発信者の操作するプッシュ信号によって特定の内線を呼び出すダイレクトインダイヤル機能と、ダイレクトインダイヤル機能の外線または一定時間内線側電話機が応答しない時にダイレクトインダイヤル状態になる外線に着信があったときにプッシュ信号受信のモードに移行するプッシュ信号受信モード移行手段と、発信者が押下したプッシュ信号を解析するプッシュ信号解析手段と、発信者が指定した内線電話番号を判断する指定内線電話番号判断手段と、当該指定内線電話番号と前記被ルームモニタ可否記憶部に記憶された被ルームモニタ可否情報から前記指定内線電話番号の被ルームモニタ可否を判断する被ルームモニタ可否判断手段と、前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、前記指定内線電話番号が被ルームモニタ可であるときに前記外線と該当する指定内線電話機とをハンズフリー通話手段へ接続する通話路切替手段とを備え、前記内線電話機が、前記簡易セキュリティ機能付きボタン電話主装置からの指示に従って事前のマイク動作可否登録に関係なくマイクを動作させルームモニタ時の指示された音量でスピーカを動作させるルームモニタ動作手段を備え、ダイレクトインダイヤル機能の外線または一定時間内線側電話機が応答しない時にダイレクトインダイヤル状態になる外線への着信時に指定内線電話機に対してルームモニタ指示があったときに、前記ルームモニタ時スピーカ受話音量レベル記憶部に記憶されたスピーカ受話音量によってスピーカから発信者の音声を出力するようにした。
【００２２】
本発明は、マイクおよびスピーカを有している複数の内線電話機と組み合わされて簡易セキュリティ機能付きボタン電話システムを構成する簡易セキュリティ機能付きボタン電話主装置において、１以上の外線と複数の内線電話機に接続され、着信時に内線電話機を即座にハンズフリー通話によるルームモニタ動作へ移行させるルームモニタ特番を記憶するルームモニタ特番記憶部を有する特番情報等記憶手段と、内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、発信者の操作するプッシュ信号によって特定の内線を呼び出すダイレクトインダイヤル機能と、ダイレクトインダイヤル機能の外線または一定時間内線側電話機が応答しない時にダイレクトインダイヤル状態になる外線に着信があったときにプッシュ信号受信のモードに移行するプッシュ信号受信モード移行手段と、発信者が押下したプッシュ信号を解析するプッシュ信号解析手段と、発信者が指定した内線電話番号を判断する指定内線電話番号判断手段と、当該指定内線電話番号と前記被ルームモニタ可否記憶部に記憶された被ルームモニタ可否情報から前記指定内線電話番号の被ルームモニタ可否を判断する被ルームモニタ可否判断手段と、前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、前記指定内線電話番号が被ルームモニタ可であるときに前記外線と該当する指定内線電話機とをハンズフリー通話手段へ接続する通話路切替手段とを備えた。
【００２３】
第４の発明は、１以上の外線および複数の内線を有する簡易セキュリティ機能付きボタン電話主装置と前記内線に接続される複数の内線電話機からなる簡易セキュリティ機能付きボタン電話システムにおいて、前記簡易セキュリティ機能付きボタン電話主装置が、着信時に内線電話機を即座にハンズフリー通話によるルームモニタ動作へ移行させるルームモニタ特番を記憶するルームモニタ特番記憶部ならびにセンサ機器が異常を検出した時に自動呼出する電話機の電話番号を記憶する異常時自動呼出電話番号記憶部を有する特番情報等記憶手段と、内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、センサ機器を直接または内線電話機を介して接続するセンサ機器接続手段と、センサ機器異常検出時に前記電話番号に対して自動発信し呼出先応答後の異常を通知するガイダンスを送出する異常時発呼手段と、ガイダンス送出後にプッシュ信号受信のモードに移行するプッシュ信号受信モード移行手段と、呼出先が押下したプッシュ信号を解析するプッシュ信号解析手段と、呼出先が指定した内線電話番号を判断する指定内線電話番号判断手段と、当該指定内線電話番号と前記被ルームモニタ可否記憶部に記憶された被ルームモニタ可否情報から前記指定内線電話番号の被ルームモニタ可否を判断する被ルームモニタ可否判断手段と、前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、前記指定内線電話番号が被ルームモニタ可であるときに前記外線と該当する指定内線電話機とをハンズフリー通話手段へ接続する通話路切替手段とを備え、前記内線電話機が、前記簡易セキュリティ機能付きボタン電話主装置からの指示に従って事前のマイク動作可否登録に関係なくマイクを動作させルームモニタ時の指示された音量でスピーカを動作させるルームモニタ動作手段を備え、指定内線電話機に対してルームモニタ指示があったときに、前記ルームモニタ時スピーカ受話音量レベル記憶部に記憶されたスピーカ受話音量によってスピーカから発信者の音声を出力するようにした。
【００２４】
本発明は、マイクおよびスピーカを有している複数の内線電話機と組み合わされて簡易セキュリティ機能付きボタン電話システムを構成する簡易セキュリティ機能付きボタン電話主装置において、１以上の外線と複数の内線電話機に接続され、着信時に内線電話機を即座にハンズフリー通話によるルームモニタ動作へ移行させるルームモニタ特番を記憶するルームモニタ特番記憶部ならびにセンサ機器が異常を検出した時に自動呼出する電話機の電話番号を記憶する異常時自動呼出電話番号記憶部を有する特番情報等記憶手段と、内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、センサ機器を直接または内線電話機を介して接続するセンサ機器接続手段と、センサ機器異常検出時に前記電話番号に対して自動発信し呼出先応答後の異常を通知するガイダンスを送出する異常時発呼手段と、ガイダンス送出後にプッシュ信号受信のモードに移行するプッシュ信号受信モード移行手段と、呼出先が押下したプッシュ信号を解析するプッシュ信号解析手段と、呼出先が指定した内線電話番号を判断する指定内線電話番号判断手段と、当該指定内線電話番号と前記被ルームモニタ可否記憶部に記憶された被ルームモニタ可否情報から前記指定内線電話番号の被ルームモニタ可否を判断する被ルームモニタ可否判断手段と、前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、記指定内線電話番号が被ルームモニタ可であるときに前記外線と該当する指定内線電話機とをハンズフリー通話手段へ接続する通話路切替手段とを備えた。
【００２５】
第５の発明は、１以上の外線および複数の内線を有する簡易セキュリティ機能付きボタン電話主装置と前記内線に接続される複数の内線電話機からなる簡易セキュリティ機能付きボタン電話システムにおいて、前記簡易セキュリティ機能付きボタン電話主装置が、同一ボタン電話主装置に接続された内線電話機からの発信時に内線電話機を即座にハンズフリー通話によるルームモニタ動作へ移行させるルームモニタ特番を記憶するルームモニタ特番記憶部を有する特番情報等記憶手段と、内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、同一ボタン電話主装置に接続された内線電話機からの発信時に発信者が指定した内線電話番号を判断する指定内線電話番号判断手段と、当該指定内線電話番号と前記被ルームモニタ可否記憶部に記憶された被ルームモニタ可否情報から前記指定内線電話番号の被ルームモニタ可否を判断する被ルームモニタ可否判断手段と、前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、前記指定内線電話番号が被ルームモニタ可であるときに前記発信した内線と該当する指定内線とをハンズフリー通話手段へ接続する通話路切替手段とを備え、前記内線電話機が、前記簡易セキュリティ機能付きボタン電話主装置からの指示に従って事前のマイク動作可否登録に関係なくマイクを動作させルームモニタ時の指示された音量でスピーカを動作させるルームモニタ動作手段を備え、同一ボタン電話主装置に接続された内線電話機の発信者から指定内線電話機に対してルームモニタ指示があったときに、前記ルームモニタ時スピーカ受話音量レベル記憶部に記憶されたスピーカ受話音量によってスピーカから発信者の音声を出力するようにした。
【００２６】
本発明は、マイクおよびスピーカを有している複数の内線電話機と組み合わされて簡易セキュリティ機能付きボタン電話システムを構成する簡易セキュリティ機能付きボタン電話主装置において、１以上の外線と複数の内線電話機に接続され、同一ボタン電話主装置に接続された内線電話機からの発信時に内線電話機を即座にハンズフリー通話によるルームモニタ動作へ移行させるルームモニタ特番を記憶するルームモニタ特番記憶部を有する特番情報等記憶手段と、内線電話機毎のハンズフリー動作への移行の可否を記憶する被ルームモニタ可否記憶部およびルームモニタ時のスピーカ音量レベルを記憶するルームモニタ時スピーカ受話音量レベル記憶部を有する内線情報記憶手段と、同一ボタン電話主装置に接続された内線電話機からの発信時に発信者が指定した内線電話番号を判断する指定内線電話番号判断手段と、当該指定内線電話番号と前記被ルームモニタ可否記憶部に記憶された被ルームモニタ可否情報から前記指定内線電話番号の被ルームモニタ可否を判断する被ルームモニタ可否判断手段と、前記指定内線電話番号が被ルームモニタ可であるときに該当する指定内線電話機のマイク設定に関係なくマイクを自動動作させるとともにルームモニタ時のスピーカ音量レベルで指定内線電話機のスピーカを自動動作させるルームモニタ動作を指示するハンズフリー通話手段と、前記指定内線電話番号が被ルームモニタ可であるときに前記発信した内線と該当する指定内線とをハンズフリー通話手段へ接続する通話路切替手段とを備えた。
【００２７】
【発明の実施の形態】
以下、本発明の実施形態について、図面によって説明する。図１は、本発明にかかるボタン電話主装置の機能構成を説明する機能ブロック図である。図２は本発明の機能概略図、図３は本発明にかかるボタン電話システムのボタン電話主装置および内線側に接続されるボタン電話機（内線電話機）の回路ブロック図、図４は本発明にかかるボタン電話主装置の中央制御部及び記憶部の機能ブロック図、図５は外線着信時のルームモニタに至るまでのボタン電話主装置側フローチャート、図６はセンサ検出時の外出先電話機の自動呼出後のルームモニタに至るまでのボタン電話主装置側フローチャート、図７は内線からの発信によるルームモニタに至るまでのボタン電話主装置側フローチャート、図８はルームモニタ時の内線電話機側フローチャートを示している。
【００２８】
ここで、本発明においては、ルームモニタとは、内線電話機がハンズフリーに設定されているか否かにかかわらず、マイクとスピーカをそれぞれＯＮにして通話可能とする状態をいう。
【００２９】
図１に示すように、本発明にかかるボタン電話主装置１０は、発信者電話番号抽出手段Ｍ１１と、通話路切替回路Ｍ１２と、特定発信者判定手段Ｍ１３と、ハンズフリー通話手段Ｍ１４と、話中音送出手段Ｍ１５と、留守番自動応答手段Ｍ１６と、センサ機器接続手段Ｍ１７と、プッシュ信号受信手段Ｍ１８と、プッシュ信号解析手段Ｍ１９と、プッシュ信号受信モード移行手段Ｍ２０と、指定内線電話番号判断手段Ｍ２１と、特番情報等記憶手段Ｍ２２と、内線情報記憶手段Ｍ２３と、被ルームモニタ判断手段Ｍ２４と、ダイレクトインダイヤル機能Ｍ２５と、異常時発呼手段Ｍ２６とを有して構成される。
【００３０】
発信者電話番号抽出手段Ｍ１１は、外線への着信時にナンバーディスプレイサービスを利用して発信者の電話番号を抽出する手段であり、後述する外線回路１３と記憶部２０と、中央制御部１１の働きによって形成される。
【００３１】
通話路切替回路Ｍ１２は、外線と内線とその他との接続を切り替える回路であり、後述する通話路切替部１２で構成され、中央制御部１１、外線回路１３、ハンズフリー制御部１４、トーン送出部１５、音声ガイダンス送出部１６、プッシュ信号受信部１８、データ送受信回路１９が接続される。
【００３２】
特定発信者判定手段Ｍ１３は、発信者番号抽出手段Ｍ１１が抽出した発信者番号と特番情報等記憶手段Ｍ２２に記憶された特定発信者電話番号とを比較して着信が特定発信者からであるか否かを判定する手段であり、後述する中央制御部１１と、記憶部２０によって達成される。
【００３３】
ハンズフリー通話手段Ｍ１４は、ハンズフリー通話時にマイクと予め設定されたスピーカ受話音量で内線電話機が動作するように指示する手段であり、被ルームモニタ時には、ルームモニタ時スピーカ受話音量レベルでスピーカを動作させる。ハンズフリー通話手段Ｍ１４は、後述するハンズフリー制御部１４、記憶部２０、中央制御部１１によって達成される。
【００３４】
話中音送出手段Ｍ１５は、話中音を外線に送出する手段であり、後述するトーン送出部１５、中央制御部１１によって達成される。
【００３５】
留守番自動応答手段Ｍ１６は、ボタン電話システムが留守番機能に設定されたときに、外線への着信に対して自動応答した後、音声ガイダンスなどの音声応答メッセージを送出する手段であり、後述する中央制御部１１、音声ガイダンス送出部１６、記憶部２０によって形成される。
【００３６】
センサ機器接続手段Ｍ１７は、センサ機器を直接または内線電話機を介して接続する手段であり、センサインタフェースと後述するセンサ検出部１７とによって構成される。
【００３７】
プッシュ信号受信手段Ｍ１８は、外線または内線からのプッシュ信号を受信する手段であり、後述するプッシュ信号受信部１８によって構成される。
【００３８】
プッシュ信号解析手段Ｍ１９は、プッシュ信号受信手段Ｍ１８受信したプッシュ信号の内容を解析する手段であり、中央制御部１１によって達成される。
【００３９】
プッシュ信号受信モード移行手段Ｍ２０は、所定の条件でプッシュ信号受信状態へ移行させる手段であり、中央制御部１１によって達成される。
【００４０】
指定内線電話番号判断手段Ｍ２１は、プッシュ信号解析手段Ｍ１９が解析したプッシュ信号が指定内線電話番号であるか否かを判断する手段であり、後述する中央制御部１１、記憶部２０によって形成される。
【００４１】
特番情報等記憶手段Ｍ２２は、特定発信者電話番号、ルームモニタ特番、リモート移行特番、パスワード、センサ検出時の通知先電話番号などの情報を記憶する手段であり、後述する記憶部２０の特番情報情報等記憶手段２０１によって形成される。
【００４２】
内線情報記憶手段Ｍ２３は、内線番号、内線毎の被ルームモニタ可否情報、内線毎のスピーカ受話音量レベル、ルームモニタ時のスピーカ受話音量レベル、内線毎のハンドセット受話音量レベル、内線毎のマイクＯＮ／ＯＦＦ設定、センサ対応の被ルームモニタ電話機情報などの情報を記憶する手段であり、後述する記憶部２０の内線情報記憶手段２０２によって形成される。
【００４３】
被ルームモニタ可否判断手段Ｍ２４は、指定内線電話番号判断手段Ｍ２１が判断した指定内線番号が、ルームモニタ可能であるか否可を判断する手段であり、後述する中央制御部１１、記憶部２０によって形成される。
【００４４】
ダイレクトインダイヤル機能Ｍ２５は、ダイレクトインダイヤル着信を当該内線電話機に着信させる機能であり、後述する中央制御部１１、トーン送出部１５、音声ガイダンス送出部１６によって形成される。
【００４５】
異常時発呼手段Ｍ２６は、センサ機器が異常を検出したときに特定の通話先に発呼する手段であり、後述する中央制御部１１、記憶部２０、外線回路１３によって形成される。
【００４６】
図２に示すように、本発明にかかるボタン電話システムは、複数の内線電話機３０−１〜３０−ｎおよびセンサ機器５０を収容したボタン電話主装置１０を少なくとも一本以上の外線を介して公衆網７０に接続して構成される。このボタン電話主装置１０には、公衆網７０および基地局７５を介して携帯電話機やＰＨＳ９０−１を、公衆網７０を介して電話機９０−２を接続することができる。
【００４７】
ここで、本明細書においては、同一の機能を有する複数の手段／装置を個別に説明するときには、符号の後に−を付した枝番を付けて説明する。また、内線電話機の内、ルームモニタの対象となる内線電話機（被モニタ内線電話機）には符号の後にＡを付し、ルームモニタを行おうとする内線電話機（モニタ内線電話機）には符号の後にＢを付して説明する。
【００４８】
このボタン電話システムにおいては、外線側の各種電話機９０−１／９０−２からプッシュ信号を用いてボタン電話主装置１０に接続された内線電話機３０Ａを着信させることなく内線電話機３０Ａのスピーカ３６とマイク３５を動作させてルームモニタを行うことができると共に、同一のボタン電話主装置１０に接続された他の内線電話機３０Ｂからのダイヤル操作で被モニタ側の内線電話機３０Ａのスピーカ３６とマイク３５を動作させてルームモニタを行うことができる。また、ボタン電話主装置１０に接続されたセンサ機器５０が異常を検出した時は、ボタン電話主装置１０が自動発信し、外部の電話機９０を呼び出し、応答後の異常を通知するガイダンス送出後に外部の電話機９０からのプッシュ信号の操作によりボタン電話主装置１０に接続された内線電話機３０Ａに対してルームモニタを行うことができる。
【００４９】
図３を用いて、本発明にかかるボタン電話システムを構成するボタン電話主装置１０と、ボタン電話機（内線電話機）３０の構成の概要を説明する。ボタン電話システムは、複数の外線（１本の場合もあり得る）に接続されたボタン電話主装置１０と該ボタン電話主装置１０に接続された複数のボタン電話機３０−１〜３０−ｎから構成される。
【００５０】
ボタン電話主装置１０は、中央制御部１１と、通話路切替部１２と、複数の外線回路１３−１〜１３−ｎと、ハンズフリー制御部１４と、トーン送出部１５と、音声ガイダンス送出部１６と、センサ検出部１７と、ＰＢ信号受信部１８と、複数のデータ送受信回路１９−１〜１９−ｎと、記憶部２０を有して構成される。
【００５１】
中央制御部１１は、ボタン電話主装置１０の各回路からの入力情報（ボタン電話機からの情報も含む）に対する解析や判断、記憶部２０に対する情報の入出力、各回路の制御を行う手段である。
【００５２】
通話路切替部１２は、ボタン電話主装置１０内の交換処理（外線と内線の接続、各音源の内線・外線への接続）を行う手段である。
【００５３】
外線回路１３−１〜１３−ｎは、外線に接続されるインタフェース回路である。
【００５４】
ハンズフリー制御部１４は、電話機のマイクとスピーカを使って通話する場合に発生するハウリングを防止するための制御を行う手段である。
【００５５】
トーン送出部１５は、外線や内線に話中音を送出するときや、ダイレクトインダイヤル状態（プッシュ信号受信待ち）であることを通知するための一次応答信号を送出するときに通話路切替部１２を経由して外線や内線に接続される手段である。
【００５６】
音声ガイダンス送出部１６は、ボタン電話主装置１０が留守番モード時に外線着信に対して自動応答したときの応答メッセージやダイレクトインダイヤル時に一次応答信号として音声ガイダンスを送出するときに通話路切替部１２を経由して外線に接続される手段である。
【００５７】
センサ検出部１７は、ボタン電話主装置１０の外部にまたは他の室内などに設置したセンサ機器５０−１もしくは内線電話機（ボタン電話機）３０−１を介して接続されたセンサ機器５０−ｎからの情報を受信し、データとして中央制御部に受け渡す手段である。
【００５８】
ＰＢ信号受信部１８は、外線から受信したプッシュ信号を受信し、データとして中央制御手段１１に受け渡す手段である。
【００５９】
データ送受信回路１９−１〜１９−ｎは、内線を介してボタン電話機（内線電話機）３０−１〜３０−ｎと音声データ、制御データの通信を行うためのインタフェースである。
【００６０】
記憶部２０は、通常の記憶部としての働きの他に、電話機からの登録操作によりルームモニタ特番、リモート移行特番、パスワード、各内線電話機の被ルームモニタ可否等の設定が記憶される手段である。
【００６１】
また、ボタン電話機３０は、制御部３１と、データ送受信回路３２と、Ｄ／Ａ、Ａ／Ｄ変換部３３と、通話路切替部３４と、マイク３５と、スピーカ３６と、送受話器３７と、ダイヤルキー３８と、局線キー３９と、機能キー４０と、マイクキー４１と、局線ランプ４２と、着信ランプ４３と、マイクランプ４４と、ＬＣＤ表示器４５と、センサインタフェース４６を有して構成される。
【００６２】
制御部３１は、電話機内の各回路からの入力情報に対する解析や判断、各回路の制御を行う手段である。
【００６３】
データ送受信回路３２は、内線を介してボタン電話主装置１０と音声データ、制御データの通信を行うためのインタフェースである。
【００６４】
Ｄ／Ａ、Ａ／Ｄ変換部３３は、音声のディジタル／アナログ変換、アナログ／ディジタル変換を行う手段である。
【００６５】
通話路切替部３４は、ボタン電話機内の送受器やマイク、スピーカ等との通話路切替および音量を制御する手段である。
【００６６】
マイク３５は、通常はハンズフリー通話の送話用に使用する手段であり、ルームモニタ時に電話機周辺の音を拾う手段として働く。
【００６７】
スピーカ３６は、通常はハンズフリー通話の受話用に使用する手段であり、ルームモニタ時に発信者側の音声を出力する手段として働く。
【００６８】
送受器３７は、一般的な通話時の送話、受話を行うためのハンドセットである。
【００６９】
ダイヤルキー３８は、電話番号をダイヤルする手段であり、また、各種登録操作を行うためのボタンとしても使用する。
【００７０】
外線キー３９は、複数ある外線から使用したい外線を選択するためのボタンであり、マイクキー等の機能キーを割り付けることもできる。
【００７１】
機能キー４０は、ボタン電話システムで一般的に使用する保留や内線等のキーであり、上記外線キーを機能キーとしても使用できる。
【００７２】
マイクキー４１は、スピーカ受話時にマイクをＯＮさせるためのキーであり、事前にＯＮ状態にしておくとスピーカ受話時にマイクも機能する、本発明では固定のキーでなく上記外線キーにマイクキーの機能を割り付けて使用している。
【００７３】
外線ランプ４２は、各外線の状態や各機能の状態（機能キー割付時）をランプ表示する手段である。
【００７４】
着信ランプ４３は、着信があったときや通話を保留中にしたときなど、固有のランプ表示を行う手段である。
【００７５】
マイクランプ４４は、マイクＯＮ／ＯＦＦをランプ表示する手段である。
【００７６】
ＬＣＤ表示器４５は、電話番号、機能登録時の情報等を表示する手段である。
【００７７】
センサインタフェース４６は、ボタン電話機の外部に取り付けられたセンサ機器５０−ｎからの情報を受信し、データとしてボタン電話主装置１０の中央制御部１１へ受け渡すインタフェースである。
【００７８】
さらに、センサ機器５０−１〜５０−ｎは、ドアセンサ等の市販のセンサであり、センサ機器５０−１はボタン電話主装置１０のセンサ検出部１７に直接、センサ機器５０−ｎはボタン電話機３０のセンサインタフェース４６を介して、ボタン電話主装置１０のセンサ検出部１７へ接続される。
【００７９】
このボタン電話システムの各ブロックは、従来からのボタン電話システムの場合と基本的には同等な構成であるが、任意のボタン電話機３０−１〜３０−ｎからのキー操作によって今回の発明で必要となるルームモニタ特番や特定発信者の電話番号、センサ検出時の通知先電話番号、パスワード、及び被ルームモニタ可否のデータが、ボタン電話主装置１０の中央制御部１１によって記憶部２２に記憶される点に特徴を有している。
【００８０】
一方、本発明で必要となる外線回路からの発信者番号、発信者が操作したルームモニタ特番等のプッシュ信号を受信するＰＢ信号受信部１４からのデータ、センサ検出部１７からのセンサ検出有無データは、中央制御部１１により記憶部２２に一時保存される。
【００８１】
さらに、中央制御部１１は、一時保存されたＰＢ信号データと、事前に設定されたルームモニタ特番やパスワードや被ルームモニタ可否との照合、一時保存された発信者番号と事前設定された特定発信者の電話番号との照合、センサ検出時にセンサに対応した事前設定された通知先電話番号の検索を行う場合にも使用される。
【００８２】
中央制御部１１による上記照合処理の結果に対して、指定内線が被ルームモニタ可となった段階で、中央制御部１１は通話路切替部１２を制御し、外線回路１３とデータ送受信回路１９を、ハンズフリー制御部１７を介して接続する。一方、ルームモニタ特番不一致、パスワード不一致、指定内線は、被ルームモニタ不可の何れかが中央制御部１１の照合処理で判定された段階で、中央制御部１１により通話路切替部１２を制御し、外線回路１３にはトーン送出部１５を接続し話中音を送出し、操作が間違っていることを通知する。
【００８３】
また、ボタン電話主装置１０にセンサ機器５０−１を接続することにより、センサ検出部１７がセンサ動作を検出すると中央制御部１１が記憶部２２に記憶されている電話番号に自動発信し、発信先応答後に音声ガイダンス送出部１６を外線回路１３に接続してセンサ動作を音声により通知し、さらにＰＢ信号受信部１４を外線回路１３に接続し通知先電話機が操作したプッシュ信号を受信する。
【００８４】
なお、ボタン電話主装置１０とボタン電話機３０間の配線に使用するケーブルは通常４芯であるが、電話機の機能として必要なのは２芯のみであるため、残りの２芯を利用し、ボタン電話機側にセンサインタフェース４６を設けることにより、電話機の近くにセンサ機器５０−ｎを設置したいときは、ボタン電話主装置１０とボタン電話機３０間の配線をそのまま利用することができ、センサ専用にボタン電話主装置１０からセンサまで配線を行う必要がない。センサ機器５０−ｎはボタン電話機に接続するのみで充分である。
【００８５】
図４を用いて、図３の回路ブロック図中の中央制御部１１及び記憶部２０内における機能構成の概要を説明する。中央制御部１１は、接続処理手段１１１と、照合処理手段１１２と、登録処理手段１１３と、外線制御手段１１４と、内線制御手段１１５とを有している。
【００８６】
接続処理手段１１１は、ボタン電話主装置１０の交換処理を行うため、通話路切替部１２に対して指示を与える機能を有する手段である。
【００８７】
照合処理手段１１２は、特番情報等記憶手段２０１や内線情報記憶手段２０２等に記憶されている内容と各手段・回路から入力される情報の照合・解析を行い、ボタン電話主装置１０内の各手段・回路に対する指示を決定する機能を有する手段である。
【００８８】
登録処理手段１１３は、ボタン電話機３０からの各種登録操作を記憶手段に記憶するための処理を行う機能を有する手段である。
【００８９】
記憶部２０には、特番情報等記憶手段２０１と、内線情報記憶手段２０２と、一時記憶手段２０３が設けられる。
【００９０】
特番情報等記憶手段２０１には、電話機からの登録操作によりルームモニタ特番、リモート移行特番、パスワード、特定発信者の電話番号、センサ検出時の通知先電話番号などが設定記憶される。
【００９１】
内線情報記憶手段２０２には、内線番号、内線毎の被ルームモニタ可否設定情報、内線毎のスピーカ受話音量レベル情報、ルームモニタ時のスピーカ受話音量情報、内線毎のハンドセット受話音量レベル情報、内線毎のマイクＯＮ／ＯＦＦ情報、その他が記憶される。
【００９２】
一時記憶手段２０３は、発信者電話番号、ＰＢ信号受信部からの受信ＰＢ信号データ、内線からのダイヤルデータ、センサ検出部からのセンサ検出有無の情報などを一時記憶する。
【００９３】
ボタン電話機３０−ｎに接続されているデータ送受信回路１９−ｎから登録用データを受信すると、登録処理手段１１３によりルームモニタ特番、パスワード、特定発信者の電話番号、センサ検出時の通知先電話番号等が特番情報等記憶手段２０１に記憶され、内線毎の被ルームモニタ可否のデータは内線情報記憶手段２０２に記憶される。なお、電話機でスピーカ受話を行っているときに電話機側の音量キー操作を行うと、操作した内線に対するスピーカ受話音量レベルが内線情報記憶手段２０２記憶され、次回にルームモニタ状態以外でスピーカ受話状態となったときも本記憶内容によりスピーカ受話音量を決定する。また、内線情報記憶手段２２２にルームモニタ時のスピーカ受話音量レベルも記憶されている。
【００９４】
ＰＢ信号受信部１８からのデータは、一時記憶手段２０３に記憶され、照合処理手段１１２によって特番情報等記憶手段２０１のルームモニタ特番、リモート移行特番、パスワードや、内線情報記憶手段２０２の内線番号や内線毎の被ルームモニタ可否との照合が行われる。照合結果により、接続処理手段１１１により通話路切替部１２を制御する。
【００９５】
センサ機器の動作の有無は、センサ検出部１７からのデータとして一時記憶手段２０３に記憶され、センサが動作した場合はセンサ番号と特番情報等記憶手段２０１に記憶されているセンサ番号に対応したセンサ検出時の通知先電話番号を照合処理手段１１２により判定し、外線制御手段１１４の制御、接続処理手段１１１の制御を行い、外線に自動発信する。発信先が応答した後は発信先電話機が押下したプッシュ信号をＰＢ信号受信部１８がデータとして出力し一時記憶手段２０３に記憶され、照合処理手段１１２によって特番情報等記憶手段２０１のルームモニタ特番、パスワードや内線情報記憶手段２２２の内線番号や内線毎の被ルームモニタ可否との照合が行われる。照合結果により、接続処理手段１１１により通話路切替部１２を制御する。
【００９６】
次に、上記実施の形態におけるボタン電話主装置１０側の動作の流れについて、図５を用いて説明する。外線に着信があり、ナンバー・ディスプレイ等の発信者番号を受信する機能の利用時は、発信者番号を受信する（Ｓ１０１）。この発信者番号は照合処理手段１１２により特定発信者の電話番号かの照合を行い（Ｓ１０２）、一致の場合、ボタン電話主装置１０は自動応答し（Ｓ１０３）、接続処理手段１１１により通話路切替部１２を制御し、外線とトーン送出部１５または音声ガイダンス送出部１６およびＰＢ信号受信部１８を接続して一次応答信号を外線に送出する（Ｓ１０４）。
【００９７】
一次応答信号を聴取した発信者がルームモニタ特番をダイヤルすると、ボタン電話主装置１０はＰＢ信号受信部１８にてプッシュ信号を受信し（Ｓ１０５）、一時記憶手段２０３へ記憶する。特番情報等記憶手段２０１に記憶されているルームモニタ特番とＰＢ信号受信部１８が受信した特番とを照合処理手段１１２にて照合処理し（Ｓ１０６）、一致していないと判断した場合は、他の特番と一致しているかを照合する（Ｓ１１８）。該当する特番があれば各種特番動作を行い（Ｓ１１９）、最終的に一致する特番がない場合は接続処理手段１１１により通話路切替部１２を制御し、外線とトーン送出部１５を接続して話中音送出（Ｓ１２０）となる。
【００９８】
ステップＳ１０６において、ルームモニタ特番の照合結果が一致であった場合、続けてＰＢ信号受信部１８が受信した（Ｓ１０７）パスワードと特番情報等記憶手段２０１に記憶されているパスワードとを照合処理手段１１２にて照合処理し（Ｓ１０８）、不一致であった場合は接続処理手段１１１により通話路切替部１２を制御し、外線回路１３とトーン送出部１５を接続して話中音送出（Ｓ１０９）となる。
【００９９】
ステップＳ２０８において、パスワードが一致であった場合は、続けてＰＢ信号受信部１８が受信した（Ｓ１１０）内線番号に対して被ルームモニタ可能かを照合処理手段１１２が内線情報記憶手段２０１に対して照会し（Ｓ１１１）、被ルームモニタ不可の場合は接続処理手段１１１により通話路切替部１２を制御し、外線回路１３とトーン送出部１５を接続して話中音送出（Ｓ１１２）となる。被ルームモニタ可能な場合は、内線情報記憶手段２０２に記憶されている内線毎のスピーカ受話音量設定レベルやマイクＯＮ／ＯＦＦ設定データは無視し、指定内線番号のボタン電話機３０Ａに対してルームモニタ時のスピーカ受話音量でスピーカを動作させるための制御データとマイクを動作させるための制御データを送信し（Ｓ１１３）、通話路切替部１２を接続処理手段１１１により制御し、ボタン電話主装置１０内の処理として外線回路１３と指定内線のデータ送受信回路１９−１とをハンズフリー制御部１４に接続する（Ｓ１１４）。この状態で、ルームモニタ状態が成立したことになる。
【０１００】
ルームモニタ中、外線側が終話した場合（Ｓ１１５）、外線制御手段１１４が終話を検出すると当該ボタン電話機３０Ａに対してスピーカＯＦＦ、マイクＯＦＦの状態にするための制御データを送信し（Ｓ１１６）、接続処理手段１１１は、通話路切替部１２を待機状態に戻す（Ｓ１１７）。
【０１０１】
このように、ルームモニタを行う人が特定される場合は、ボタン電話主装置１０に予め携帯電話機等の電話番号を登録しておくことにより、外出先から上記携帯電話機を利用してボタン電話主装置１０の内線電話機３０Ａを介してルームモニタすることができ、また一般的なプッシュ信号を利用して内線電話機を指定してルームモニタに移行できるため、外線で使用する電話機の選択範囲が広まる。
【０１０２】
上記は、発信者番号を受信し、さらに該発信者番号が登録済発信者番号の場合であったが、発信者番号を受信できなかった場合や受信できても登録済でなかった場合は、着信外線が留守番モードかを判定する（Ｓ２０１）。留守番モードの場合は、ボタン電話主装置１０は自動応答し（Ｓ２０２）、音声ガイダンス送出部１６より応答メッセージを外線に対して送出する（Ｓ２０３）と共に接続処理手段１１１により通話路切替部１２を制御し、外線回路１３とＰＢ信号受信部１８を接続する。応答メッセージ送出時に発信者のプッシュ信号送出操作が行われ、ＰＢ信号受信部１８が受信したデータが特番情報等記憶手段２０１に登録されているリモート移行特番であるかを照合処理し（Ｓ２０５）、不一致の場合は留守番モード動作となり（Ｓ２０６）、一致の場合は接続処理手段１１１により通話路切替部１２を制御し、外線回路１３とトーン送出部１５を接続して一次応答信号を外線に送出（Ｓ１０４）となる。
【０１０３】
また、留守番モードの判断（Ｓ２０１）で留守番モードでない場合は、ＤＩＤ設定外線かを判断し（Ｓ３０１）、ＤＩＤ設定外線でない場合は各種着信動作となり（Ｓ３０３）、ＤＩＤ設定外線の場合にはボタン電話主装置１０が自動応答し（Ｓ３０２）、接続処理手段１１１により通話路切替部１２を制御し、外線回路１３とトーン送出部１５または音声ガイダンス送出部１６およびＰＢ信号受信部１８を接続して一次応答信号送出（Ｓ１０４）となる。
【０１０４】
なお、ボタン電話主装置１０の設定として、内線側電話機が一定時間応答しないときにＤＩＤと同等になる外線がある場合は、この外線もＤＩＤ外線として定義する。
【０１０５】
このように、外出時に留守番モードに設定されている外線またはＤＩＤ設定外線がある場合は、一般的なプッシュ信号を送出できる電話機であればサブアドレスを用いずに内線番号を指定することができ、発信する電話機を特に選ばずに、外出先からボタン電話主装置１０の内線電話機３０Ａを介してルームモニタすることができる。
【０１０６】
図６は、ボタン電話主装置１０にセンサ機器５０−１を接続してセンサ機器５０−１が異常を検出した時に、センサ検出部１７がセンサ動作を認識し、外線制御手段１１４が特番情報等記憶手段２０１内のセンサ検出時の通知先電話番号に対して自動発信し、通知先が着信に応答した時点からのフローを示している。通知先の電話機が応答すると、音声ガイダンス送出部１６（トーン送出部１５の場合もある）からセンサ検出を通知するガイダンス（トーンの場合もある）が送出される（Ｓ４０１）。ガイダンス送出完了後（Ｓ４０２）、リモート移行可能かを特番情報等記憶手段２０１を参照して判断し（Ｓ４０３）、リモート移行不可の場合は外線切断を行い（Ｓ４２３）、リモート移行可能な場合は接続処理手段１１１により通話路切替部１２を制御し、外線とトーン送出部１５または音声ガイダンス送出部１６およびＰＢ信号受信部１８を接続して一次応答信号を外線に送出する（Ｓ４０４）。ステップＳ４０４以降は、図５のステップＳ１０４と同様に遷移する。なお、センサに対応した被ルームモニタ電話機が設定されていると（Ｓ４２１）、通知先電話機がプッシュ信号送出操作を行わずにルームモニタに移行することもできる。本処理の流れにより、センサ機器５０−１が異常を検出したタイミングで外出先に通知が行われ、同時に一般的なプッシュ信号により指示することでルームモニタを行え、室内の異常有無を音により確認できるため、ルームモニタの有用性が高まる。
【０１０７】
図７を用いて、ボタン電話主装置１０に接続された１つの内線電話機３０Ｂから他の内線電話機３０Ａのルームモニタを行う例を説明する。以下の説明では発信側電話機３０Ｂはデータ送受信回路１９−ｎに接続され、被ルームモニタ側電話機３９Ａはデータ送受信回路を１９−１に接続される例として説明する。外出先から特定の内線電話機を選択してルームモニタを行う場合の操作の場合はプッシュ信号を利用しているが、内線発信の場合は電話機の種類（ボタン電話機、単独電話機）によってダイヤル情報が異なるので、ダイヤルデータを受信（Ｓ５０１）としている。発信電話機３０Ｂが内線に接続された単独電話機の場合、ダイヤルデータはダイヤルパルス若しくはプッシュ信号となる。ステップＳ５０２〜Ｓ５０８の処理は発信者から送出されるダイヤルデータの受信ルートが異なるが、基本的には図５のステップＳ１０６〜Ｓ１１２と同等である。
【０１０８】
内線制御手段１１５が受信したダイヤルデータ（特番、パスワード、内線番号、等）は一時記憶手段２０３に記憶される。特番情報等記憶手段２０１に記憶されているルームモニタ特番と一時記憶手段２０３に記憶されたダイヤルデータ（特番）とを照合処理手段１１２にて照合し（Ｓ５０２）、一致していないと判断した場合は、他の特番または内線番号と一致しているかを照合する（Ｓ５１４）。一致している場合は各種特番操作または通常に内線呼び出しとなる（Ｓ５１５）。
【０１０９】
最終的に一致する特番がない場合は接続処理手段１１１により通話路切替部１２を制御し、発信側内線のデータ送受信回路１９−ｎとトーン送出部１５を接続して話中音送出（Ｓ５１６）となる。
【０１１０】
ルームモニタ特番の照合処理（Ｓ５０７）で結果が一致（ルームモニタ特番）であった場合、続けて特番情報等記憶手段２０１に記憶されているパスワードと一時記憶手段２０３に記憶されたダイヤルデータ（パスワード）（Ｓ５０３）とを中央制御手段１１にて照合処理し（Ｓ５０４）、不一致であった場合は接続処理手段１１１により通話路切替部１２を制御し、発信側内線のデータ送受信回路１９−ｎとトーン送出部１８を接続して話中音送出（Ｓ５０５）となる。パスワードが一致であった場合は、続けて一時記憶手段２２３に記憶されたダイヤルデータ（内線番号）に対して被ルームモニタ可能かを照合処理手段１１２が内線情報記憶手段２２２に対して照会し（Ｓ５０７）、被ルームモニタが不可の場合は接続処理手段１１１により通話路切替部１２を制御し、発信側内線電話機３０Ａのデータ送受信回路１９−ｎとトーン送出部１５を接続して話中音送出（Ｓ５０８）となる。被ルームモニタが可能な場合は、内線情報記憶手段２０２に記憶されている内線毎のスピーカ受話音量設定レベルやマイクＯＮ／ＯＦＦ設定データは無視し、ボタン電話機３０Ａに対してルームモニタ時のスピーカ受話音量でスピーカを動作させるための制御データとマイクを動作させるための制御データを送信し（Ｓ１１３）、通話路切替部１２を接続処理手段１１１により制御し、ボタン電話主装置１０内の処理として発信側内線電話機３０Ｂのデータ送受信回路１９−ｎと指定内線のデータ送受信回路１９−１とをハンズフリー制御部１７に接続する（Ｓ５１０）。この状態で、ルームモニタ状態が成立したことになる。
【０１１１】
ルームモニタ中、発信側ボタン電話機３０Ｂが終話した場合（Ｓ５１１）、内線制御手段１１５が終話を検出するとルームモニタされていたボタン電話機のためのデータ送受信回路１９−１を介してボタン電話機３０Ａに対してスピーカＯＦＦ、マイクＯＦＦの状態にするための制御データを送信し（Ｓ５１２）、接続処理手段１１１は、通話路切替手段１２を待機状態に戻す（Ｓ５１３）。
【０１１２】
このように、外出先だけでなく、ボタン電話主装置１０に接続された内線電話機から他の内線電話機に対してルームモニタを行うことも可能になり、社内で空きの会議室が本当に空きなのかを音でチェックしたり、倉庫等、人が普段いない場所に不審者がいないか等をその場所まで行かなくてもモニタすることができる。
【０１１３】
図８を用いて、ルームモニタ時における被ルームモニタ側の内線電話機３０Ａの動きを説明する。被ルームモニタ側の内線電話機３０Ａのデータ送受信回路３２は、ボタン電話主装置１０からルームモニタ時の電話機制御データを受信し制御部３１に受け渡す（Ｓ６０１）。制御部３１は通話路切替部３４のスピーカ受話音量を通常時とは異なるルームモニタ時の規定音量に制御し（Ｓ６０２）、通話路切替部３４をマイク３５とスピーカ３６に接続する（Ｓ６０３）。なお、ルームモニタ時は、被ルームモニタ側の内線電話機３０Ａのマイクキー４１を事前にＯＮにする操作無くしてマイク３５をＯＮにできる。また、ルームモニタ時にマイクが機能しても通常のハンズフリー通話時と異なりマイクランプ４４の制御は行わない。
【０１１４】
一方、ボタン電話主装置１０側は図５〜図７の例で示したとおり、ハンズフリー制御部１４が通話路切替部１２により接続されておりハンズフリー通話が可能な状態になっている。よって、被ルームモニタ側の内線電話機３０Ａは、ルームモニタ状態（Ｓ６０４）となる。発信者側が終話すると、被ルームモニタ側の内線電話機３０Ａはボタン電話主装置１０側からの待機時電話機制御データを受信し（Ｓ６０５）、電話機内を待機状態に切り替える（Ｓ６０６）。
【０１１５】
このように、被ルームモニタ側のボタン電話機３０Ａ側のマイクＯＮやスピーカ音量調整を事前に行わなくても、ルームモニタとして必要なマイクＯＮ動作とスピーカ受話ＯＮの状態及びスピーカ音量最適の状態にすることができる。
【０１１６】
外線からの発信を例にとって説明すると、被ルームモニタ側の内線電話機３０Ａのマイク３５→電話機の通話路切替部３４→Ｄ／Ａ、Ａ／Ｄ変換部３３→電話機のデータ送受信回路３２→ボタン電話主装置１０のデータ送受信回路１９−１→通話路切替部１２→ハンズフリー制御部１４→通話路切替部１２→外線回路１３−１のルートで、外線からの発信者は、被ルームモニタ側の内線電話機３０Ａ周囲の音を聞くことができる。逆に外線からの発信者が送話器から声を入れた場合、外線回路１３→通話路切替部１２→ハンズフリー制御部１４→通話路切替部１２→ボタン電話主装置１０のデータ送受信回路１９→被ルームモニタ側の内線電話機３０Ａのデータ送受信回路３２→Ｄ／Ａ、Ａ／Ｄ変換部３３→通話路切替部３４→スピーカ３６のルートで内線電話機３０Ａのスピーカ３６より声を出すことができる。
【０１１７】
【発明の効果】
この発明にかかるボタン電話システムは、上記各実施の形態でも示したとおり、特定の発信者からの着信、留守番状態での着信、ダイレクトインダイヤル（ＤＩＤ）での着信、内線電話機が一定時間不応答時にダイレクトインダイヤル（ＤＩＤ）状態に移行する着信、等の様々な外線の着信形態からルームモニタへの移行を可能としており、さらに一般的なプッシュ信号を利用することにより、ユーザの様々な運用形態や発信側として使用される電話機の種類を限定することなくルームモニタを行える効果を奏することができる。
【０１１８】
また、センサ機器が異常を検出した時に外出先の特定の電話機を呼び出した際、同時にルームモニタへの移行を可能にしているため、必要時にルームモニタを行える効果を奏することができる。
【０１１９】
さらに、ボタン電話主装置１０に接続された内線電話機３０Ｂから同一ボタン電話主装置１０に接続された他の内線電話機３０Ａに対してもルームモニタを行えるので、内線電話機から他の内線電話機のルームモニタを行うことができ、内線を利用することで電話料金も不要であるという効果を奏することができる。
【０１２０】
さらに、内線電話機からの登録操作によって被ルームモニタ可否を選択できるので、運用によっては被ルームモニタを禁止したい電話機が一部存在する場合にも対応できるという効果を奏することができる。
【０１２１】
また、ボタン電話機側の動作としては、事前のマイクＯＮ操作やスピーカ受話音量調整を行わなくてもルームモニタ時は自動的にマイクがＯＮになりスピーカ受話もルームモニタに必要な規定音量となるので、普段の使用状態のままでルームモニタを行うことができる特徴がある。
【０１２２】
また、内線電話機の近くにルームモニタを行う機器の手段としてセンサ機器を設置する場合、通常はボタン電話主装置２０からセンサ機器５０−ｎまで専用の配線を行う必要があるが、内線電話機３０側にセンサ用インタフェース４６を設けてこの内線電話機にセンサ機器を接続し、通常ボタン電話主装置とボタン電話機間の配線用に使用される４芯ケーブルの余りの２芯をセンサ用に使用することにより、センサ専用でボタン電話主装置からセンサまで配線を行う必要がなく、配線コストの低減と工事性が改善される点に特徴がある。
【図面の簡単な説明】
【図１】この発明のボタン電話システムを構成するボタン電話主装置の機能ブロック図
【図２】この発明のボタン電話システム構成概略図
【図３】この発明のボタン電話システムの実施例を示した概略ブロック図
【図４】この発明のボタン電話主装置１０中央制御部および記憶部の機能ブロック図
【図５】この発明の外線からのルームモニタ時のボタン電話主装置１０側概略フローチャート
【図６】この発明のセンサ検出時の外線からのルームモニタ時のボタン電話主装置１０側概略フローチャート
【図７】この発明の内線からのルームモニタ時のボタン電話主装置１０側概略フローチャート
【図８】この発明のルームモニタ時の内線電話機側概略フローチャート
【符号の説明】
１０  ボタン電話主装置
３０  内線電話機（ボタン電話機）
３５  マイク
３６  スピーカ
５０  センサ機器
７０  公衆網
７５  基地局
９０  電話機（携帯電話機；ＰＨＳ）
【図１】
2004328059.tif 000003
【図２】
2004328059.tif 000004
【図３】
2004328059.tif 000005
【図４】
2004328059.tif 000006
【図５】
2004328059.tif 000007
【図６】
2004328059.tif 000008
【図７】
2004328059.tif 000009
【図８】
2004328059.tif 000010